(57)【要約】【課題】  従来のコンセントタップを複数個を順次接続し、それぞれのコンセントタップに電源コードを接続（所謂、蛸足配線）した場合には、全ての遊戯機用筐体に対して安定した電源を供給することが難しく、両端側の遊戯機用筐体に行くにしたがって電圧が低下して、筐体側に取付けられている電子回路や遊戯機側の電子回路の動作が不安定となって誤動作するという問題があった。【解決手段】  パチンコ機やパチスロ機の交換が可能な遊戯機用筐体であって、該筐体Ａの裏面側に雄プラグ４を取付け、該雄プラグに接続可能な雌プラグ６と、該雌プラグに一端が接続された電源コード６１の他端に電源コンセント７に接続可能な雄プラグ６２とから構成し、前記コードは異なる長さに形成されており遊戯機用筐体と電源コンセントとの距離によって適宜選択可能としたパチンコ機等の遊戯機における電源装置である。【選択図】        図２
2009056068.tif 000002
【特許請求の範囲】
【請求項１】
パチンコ機やパチスロ機の交換が可能な遊戯機用筐体であって、該筐体の裏面側に雄プラグを取付け、該雄プラグに接続可能な雌プラグと、該雌プラグに一端が接続された電源コードの他端に電源コンセントに接続可能な雄プラグとから構成し、前記コードは異なる長さに形成されており遊戯機用筐体と電源コンセントとの距離によって適宜選択可能としたことを特徴とするパチンコ機等の遊戯機における電源装置。
【請求項２】
前記雄プラグが前記遊戯機用筐体の裏面に取付けられた爪付きナットを利用して裏面表面側よりネジ止めされていることを特徴とする請求項１記載のパチンコ機等の遊戯機における電源装置。
【発明の詳細な説明】
【技術分野】
【０００１】
本発明は、パチンコ店ではなくゲームセンターに設置され硬貨を使用して遊戯を行うパチンコ機やパチスロ機等の遊戯機を収容する遊戯機用筐体であって、該筐体内に収容された遊戯機や筐体内の電子回路に電源を供給するための電源コードの改良に関する。
【背景技術】
【０００２】
従来における前記筐体にはパチンコ機やパチスロ機に供給する電源と、筐体本体に取付けられている表示部等に供給する電源とは一体化されて先端にプラグが取付けられた電源コードに接続され、筐体が設置される壁面と筐体との隙間に配置された電源用のコンセントに前記プラグを接続して電源を供給していた。
【非特許文献１】株式会社プロが開設しているホームページ（http//www.kk-pro.com/) における「７号業界から参入」の頁（http//www.kk-pro8.com/camoaign −  005html)に掲載されているパチスロ機（サイボーグ００９フランソワーズパネル）とパチンコ機（ＣＲフィバースター・ウォーズおよびＣＲフィバー大ヤマト２）が収納されている筐体
【発明の開示】
【発明が解決しようとする課題】
【０００３】
ところで、前記したプラグ付きの電源線を使用して遊戯機用筐体に電源を供給する方式の電源供給手段にあっては、遊戯機筐体用を横方向（一般的に島と言われている）に多数個（例えば１０台〜２０台）を配置する場合に、電源コードの長さが一定であるために中央部分の遊戯機用筐体の裏面側壁面にコンセントを配置すると両端側に配置されている遊戯機用筐体よりの電源コードが届かなくなって複数のプラグを差し込むことが可能なコンセントタップを次々と接続して遊戯機用筐体に電源を供給していた。
【０００４】
しかし、このようなコンセントタップを複数個順次接続し、それぞれのコンセントタップに電源コードを接続（所謂、蛸足配線）した場合には、全ての遊戯機用筐体に対して安定した電源を供給することが難しく、両端側の遊戯機用筐体に行くにしたがって電圧が低下して、筐体側に取付けられている電子回路や遊戯機側の電子回路の動作が不安定となって誤動作することがあった。
【０００５】
また、新台の入替え（一般的に入替える新台の数は２〜５台程度）が生じた場合に、筐体を手前に引き出しフラグをコンセントから外してパチンコ機やパチスロ機を筐体にセットし、再び、プラグをコンセントに接続して筐体が面位置となるようにセットするが、この筐体よりの電源コードのプラグをコンセントから外す場合に、コンセントが電源コードのプラグとコンセントとが離れている場合には、隣接する筐体を手前に引っ張りだして電源コードのプラグをコンセントから外さなければならず、作業が非常に面倒であると共に作業時間が長く係るといった問題があった。
【０００６】
本発明は前記した問題点を解決せんとするもので、その目的とするところは、筐体の裏面側に雄プラグを取付け、該雄プラグに嵌め込まれる一端に雌プラグが取付けられ先端にコンセントに接続するためのプラグが取付けられた電源コードによって遊戯機用筐体と電源とを接続するようにすることで、該電源コードのコード長の異なる多種類用意すれば、１つの電源プラグとの接続が可能となり、従って、全ての遊戯機用筐体に対して安定した電源を供給することが可能になると共に新台の入替え時にも筐体の雄プラグと電源コードの雌プラグとを外すことで交換する遊戯用筐体のみ引き出して交換できるパチンコ機等の遊戯機における電源装置を提供せんとするにある。
【課題を解決するための手段】
【０００７】
本発明のパチンコ機等の遊戯機における電源装置は前記した目的を達成せんとするもので、請求項１の手段は、パチンコ機やパチスロ機の交換が可能な遊戯機用筐体であって、該筐体の裏面側に雄プラグを取付け、該雄プラグに接続可能な雌プラグと、該雌プラグに一端が接続された電源コードの他端に電源コンセントに接続可能なプラグとから構成し、前記コードは異なる長さに形成されており遊戯機用筐体と電源コンセントとの距離によって適宜選択可能としたことを特徴とする。
【０００８】
請求項２の手段は、前記した請求項１において、前記雄プラグが前記遊戯機用筐体の裏面に取付けられた爪付きナットを利用して裏面表面側よりネジ止めされていることを特徴とする。
【発明の効果】
【０００９】
本発明は前記したように、筐体の裏面側に雄プラグを取付け、該雄プラグに接続可能な雌プラグと、該雌プラグに一端が接続されたコードの他端に電源コンセントに接続可能なプラグからなる電源コードとから構成したので、電源コードのコード長の異なる多種類用意すれば、１つの電源プラグとの接続が可能となり、従って、全ての遊戯機用筐体に対して安定した電源を供給することが可能になると共に新台の入替え時にも筐体の雄プラグと電源コードの雌プラグとを外すことで交換する遊戯用筐体のみ引き出して交換できるものである。
【００１０】
また、雄プラグが遊戯機用筐体の裏面に取付けられた爪付きナットを利用して裏面表面側よりネジ止するようにしたので、雄プラグの遊戯機用筐体に対して簡単に取付けることができる等の効果を有するものである。
【発明を実施するための最良の形態】
【００１１】
本発明は、筐体の裏面に取付けた雄プラグに、先端に電源コンセントに接続するためのプラグが取付けられた雌プラグを接続することで、長さの異なるコードを用意することで遊戯機用筐体と電源コンセントとの距離に関係なく電源コンセントに接続することを可能とした。
【実施例】
【００１２】
以下、本発明に係るパチンコ機等の遊戯機の一実施例を図面と共に説明する。
Ａはパチンコ機やパチスロ機（図示にあってはパチスロ機を示している）を交換可能にセットすることが可能な遊戯機用筐体（以下、単に筐体という）、１は該筐体Ａにおける嵩上げ部にして、遊戯者が椅子に着座した状態においてパチンコ機やパチスロ機の遊戯が可能な高さを維持するためのであり、該嵩上げ部１には収納庫として使用できるように扉１１が開閉自在に取付けられている。
【００１３】
２は前記嵩上げ部１の上方にはパチンコ機やパチスロ機を収納するための収納部であり、該収納部の側面側にはゲーム数や当たり回数等を７セグメント素子等の表示灯２１ａによって表示するための表示板２１が取付けられている。また、表示板２１には硬貨投入口２１ｂ、人感センサ２２ｃ、該人感センサ２２ｃが人を検出すると各種のアナウンスを放送するためのスピーカ２２ｄが取付けられている。
【００１４】
なお、アナウンスとしては、遊戯機の前を通る人に「遊ばないですか」等の音声や、遊戯してい遊戯者に対して遊戯に関する内容「大当たりしました」等の音声を放音して遊戯者を飽きさせないようにしたり、ゲームを楽しませることを目的とする。
【００１５】
３は前記収容部２の上方に空間部３１を介して形成された装飾部にして、該空間部３１の上方には筐体Ａの製造会社名や商標が表示される表示名部３２が形成されている。この表示名部３２は筐体Ａの前面側より突出した位置となっているので、遊戯者が上方を見上げた時に浮いた状態で見えて遊戯者に圧迫感を与えないようになっている。
【００１６】
３３は前記空間部３１にはアクリル樹脂等の透明材で形成され、全体が円柱状に形成され上端部には斜め下方に光を導出すると共に外部に向かって乱反射する装飾体にして、上方には赤、緑、青等の色を発光するＬＥＤが配置されている。そして、ＬＥＤよりの光が変化することで装飾体３３は色々な色で発光して遊戯者や他の人に興味を抱かせるものである。
【００１７】
次に、本発明の電源装置を前記した遊戯機の筐体Ａに取付けた状態を図２〜図５と共に説明する。
図２〜図４は雄プラグ４を筐体Ａにおける裏板５の下方に取付けた状態を示している。雄プラグ４は長方形の金属製の取付板４１に対して雄端子４ａが臨む挿入口４ｂが露出した状態でボルト・ナットで４２で固定されている。前記筐体Ａにおける裏板５には雄プラグ４を挿通するための開口５ａが形成され、該開口５ａの４隅には前記取付板４１を取付けるためのネジ５１用の挿通孔５ｂが貫通して形成され、該挿通孔５ｂの裏面側には爪付きナット５２が前以って固定されている。
【００１８】
６は電源コード６１の一端が接続された雌プラグにして、前記雄プラグ４の挿入口４ｂ内に挿入することで前記雄端子４ａが図示しない雌端子と電気的に接続される。電源コード６１の他端には電源コンセント７（図５参照）に接続するための雄プラグ６２（図５参照）が接続されている。そして、前記電源コード６１は長さの異なる各種のものが用意されている。
【００１９】
このように構成した本発明にあっては図５に示すように、電源コンセント７を多数台の遊戯機が横一列に設置された島における背面側中央部に設置する。そして、電源コード６１の異なる長さのものを利用して電源コンセント７に雄プラグ６２を接続し、該電源コードの他端に接続されている雌プラグ６を筐体Ａの背面側に取付けた雄プラグ４に接続する。このように全ての筐体Ａは一か所の電源コンセント７に接続されることとなるので、従来のような蛸足配線と異なり全ての筐体Ａの電子回路に対して安定した電源を供給することが可能となる。
【００２０】
また、前記島における筐体Ａ内のパチンコ機やパチスロ機等の遊戯機を交換する場合には、電源コード６１の雄端子６２は電源コンセント７に接続したままで、遊戯機を交換する筐体Ａのみを手前に引き出して電源コード６１に接続されている雌プラグ６を筐体側の雄プラグ４から抜き取ることで筐体Ａの電源は遮断されるので安全に交換作業を行うことができる。
【００２１】
そして、交換作業が終了したなら、電源コード６１に接続されている雌プラグ６を筐体側の雄プラグ４に挿入して電気的に接続した状態で、筐体Ａを押し込むことで全ての作業が終了するので、従来のように電源コンセント７に各筐体Ａの電源コード６１を接続するために、他の筐体Ａを手前に引き出すといった作業が不要となり作業時間の短縮を図ることができる。
【図面の簡単な説明】
【００２２】
【図１】本発明のパチンコ機等の遊戯機における電源装置を装備した筐体の一例を示す斜視図である。
【図２】同上の筐体の背面図である。
【図３】要部の拡大正面図である。
【図４】図３のＤ−Ｄ線断面図である。
【図５】本発明の電源装置の使用状態を示す平面図である。
【符号の説明】
【００２３】
Ａ          筐体
４          雄プラグ
５          裏板
５２        爪付きナット
６          雌プラグ
６１        電源コード
７          電源コンセント
【図１】
2009056068.tif 000003
【図２】
2009056068.tif 000004
【図３】
2009056068.tif 000005
【図４】
2009056068.tif 000006
【図５】
2009056068.tif 000007